(57)【要約】【課題】コネクタカバー１０が筐体に嵌合された状態での筐体内部のスペースを有効に利用できる携帯電子機器１を提供する。【解決手段】携帯電話機１は、キー側筐体３に形成された開口部９を閉塞可能に筐体に取り付けられるコネクタカバー１０が、帯板状に形成されて開口部９の周囲に形成された嵌合凹部１１に嵌合されるカバー本体部１０ａと、カバー本体部１０ａの長手方向一端側で突設されたカバー軸部１０ｂと、カバー軸部１０ｂの先端部に形成された鍔部１０ｃとを備えて構成され、キー側筐体３の嵌合凹部１１における底面部１１ａに形成された孔部１１ｂに挿通されるカバー軸部１０ｂが、カバー本体部１０ａに接続される本体側部位１０ｂ１と鍔部１０ｃに接続されて本体側部位１０ｂ１に対して外周側に拡径された先端側部位１０ｂ２とにより構成される。【選択図】図４
2007318682.tif 000002
【特許請求の範囲】
【請求項１】
開口部が形成された筐体と、
前記開口部に対向して前記筐体内部に配置されるコネクタ部材と、
前記開口部を閉塞可能に前記筐体に取り付けられるカバー部材と、
を備えた携帯電子機器において、
前記カバー部材は、帯板状に形成されて前記開口部の周囲に形成された嵌合凹部に嵌合されるカバー本体と、前記カバー本体の長手方向一端側で前記カバー本体の厚さ方向に突設されたカバー軸部と、前記カバー軸部の先端部に形成された鍔部とを備え、
前記筐体は、前記カバー軸部が挿通される孔部が形成され、
前記カバー軸部は、前記カバー本体に接続される本体側部位と、前記鍔部に接続されて前記本体側部位に対して外周側に拡径された先端側部位とにより構成される
ことを特徴とする携帯電子機器。
【請求項２】
前記先端側部位は、前記本体側部位に対して一外周方向のみ拡径されて形成される
ことを特徴とする請求項１記載の携帯電子機器。
【請求項３】
前記先端側部位は、前記カバー本体の長手方向一端側の外周部が拡径されて形成される
ことを特徴とする請求項２記載の携帯電子機器。
【請求項４】
前記カバー本体は、前記カバー軸部よりも長手方向他端側の位置に薄肉部を設けた
ことを特徴とする請求項１乃至３の何れか１項に記載の携帯電子機器。
【請求項５】
前記カバー軸部は、軸方向長さが前記孔部を形成する前記筐体のケース部材の厚さと前記嵌合凹部の深さとを加算した長さよりも短く形成される
ことを特徴とする請求項１乃至４の何れか１項に記載の携帯電子機器
【請求項６】
前記カバー軸部は、前記カバー本体が前記嵌合凹部に嵌合した場合に、本体側部位の前記長手方向一端側が前記孔部を形成するケース部材に当接される
ことを特徴とする請求項１乃至５の何れか１項に記載の携帯電子機器。
【発明の詳細な説明】
【技術分野】
【０００１】
本発明は、筐体に形成された開口部を閉塞するカバー部材を有する携帯電子機器に関する。
【背景技術】
【０００２】
従来、携帯電話機やノート型ＰＣ（Ｐｅｒｓｏｎａｌ  Ｃｏｍｐｕｔｅｒ）などの携帯電子機器は、充電ケーブルやイヤホンケーブルなどのケーブル端子と接続可能な接続コネクタやメモリーカードなどのカード部材が装着されるカードコネクタなどのコネクタ部材を有して構成されている。
【０００３】
例えば、携帯電話機は、液晶パネル等の表示装置を有する第１筐体とテンキーなどの操作部を有する第２筐体と、これら第１筐体と第２筐体とを回転可能に連結するヒンジ部とを有して構成されている。そして、第２筐体には、内部に各種電子部品が実装される回路基板が配設されており、この回路基板には、ケーブル端子と接続可能な接続コネクタが実装されている。また、第２筐体の側面には開口部が形成されて、この開口部に対向した第２筐体の内部に接続コネクタが配設されることにより、ケーブル端子が開口部を介して接続コネクタの接続部に接続可能とされている。
【０００４】
そして、図７に示されるように、第２筐体３は、該開口部を閉塞するように帯板状に形成されたコネクタカバー（カバー部材）１０が配設されている。このコネクタカバー１０は、帯板状のカバー本体部１０ａと、カバー本体部１０ａの長手方向一端側でカバー本体部１０ａの厚み方向に突設されたカバー軸部１０ｂと、カバー軸部１０ｂの先端部に形成された鍔部１０ｃとを有して構成されている。また、第２筐体３には、開口部の周囲に形成されてコネクタカバー１０のカバー本体部１０ａが嵌合される嵌合凹部１１と、嵌合凹部１１の長手方向一端側に形成された孔部１１ｂとが配設されている。
【０００５】
そして、コネクタカバー１０は、カバー軸部１０ｂが孔部１１ｂに挿通されて、カバー軸部１０ｂの軸方向（第２筐体の内外方向）に沿ってスライド可能に第２筐体３に取り付けられている。また、カバー軸部１０ｂの略中央には、外周方向へ突出する突出部１３が形成されており、この突出部１３によってカバー軸部１０ｂの軸方向へのスライドを規制することにより、コネクタカバー１０を、カバー本体部１０ａが嵌合凹部１１に嵌合される第１の状態（図７（ａ）参照）と、カバー本体部１０ａと嵌合凹部１１との嵌合が解除されて第１の状態から筐体外部側へ移動した第２の状態（図７（ｂ）参照）とに保持することができる。なお、コネクタカバー１０が第２筐体３の内外方向にスライドして第１状態と第２の状態との間を移動する際に、突出部１３は、孔部１１ｂを形成するケース部材によって弾性変形されることとなる。
【０００６】
このような構成において、接続コネクタにケーブル端子を接続する場合、第２筐体３に取り付けられたコネクタカバー１０は、カバー本体部１０ａを嵌合凹部１１から取り外して筐体外部側へ移動させた後に、カバー軸部１０ｂを中心として開口部とは反対側へ回転させることによって、コネクタカバー１０による開口部の閉塞が解除されて、接続コネクタの接続部が開口部を介して筐体外部に露出されることにより、ケーブル端子を接続コネクタに接続させることが可能となる。（例えば、特許文献１参照）
【特許文献１】特開２００５−２４２８６５
【発明の開示】
【発明が解決しようとする課題】
【０００７】
しかしながら、コネクタカバー１０を第１の状態（図７（ａ）に示される状態）から第２の状態（図７（ｂ）に示される状態）にスライド移動させた後に開口部とは反対側に回転させる際に、コネクタカバー１０が第２筐体３と干渉しないように構成する必要がある。
【０００８】
コネクタカバー１０を回転させる際に第２筐体３と干渉しないようにするためには、コネクタカバー１０が筐体外部側へより引き出されるようにカバー軸部１０ｂの軸方向長さを長く設定すればよい。
【０００９】
しかし、カバー軸部１０ｂが長くなると、カバー本体部１０ａを嵌合凹部１１に嵌合させた状態において、カバー軸部１０ｂの先端側及び鍔部１０ｃが筐体内部に位置されることとなり、筐体内部のスペースを無駄に使用してしまい、筐体自体を大きくしなければならないといった問題がある。
【００１０】
図７に示される従来の構成では、カバー軸部１０ｂが、図７（ａ）に示される第１の状態において孔部１１ｂに挿通される本体側部位と、突出部１３が形成される中間部位と、図７（ｂ）に示される第２の状態において孔部１１ｂに挿通される先端側部位とを備えて構成されるため、カバー軸部１０ｂの軸方向長さが長くなってしまい、上述した問題が発生することとなる。
【課題を解決するための手段】
【００１１】
この発明は、上記課題を有利に解決することを目的とするものであり、請求項１記載のこの発明の携帯電子機器は、開口部が形成された筐体と、前記開口部に対向して前記筐体内部に配置されるコネクタ部材と、前記開口部を閉塞可能に前記筐体に取り付けられるかバー部材と、を備えた携帯電子機器において、前記カバー部材は、帯板状に形成されて前記開口部の周囲に形成された嵌合凹部に嵌合されるカバー本体と、前記カバー本体の長手方向一端側で前記カバー本体の厚さ方向に突設されたカバー軸部と、前記カバー軸部の先端部に形成された鍔部とを備え、前記筐体は、前記カバー軸部が挿通される孔部が形成され、前記カバー軸部は、前記カバー本体に接続される本体側部位と、前記鍔部に接続されて前記本体側部位に対して外周側に拡径された先端側部位とにより構成されることを特徴としている。
【００１２】
また、前記先端側部位が、前記本体側部位に対して一外周方向のみ拡径されて形成されてもよい。また、前記先端側部位が、前記カバー本体の長手方向一端側の外周部が拡径されて形成されてもよい。また、前記カバー本体が、前記カバー軸部よりも長手方向他端側の位置に薄肉部を設けてもよい。また、前記カバー軸部が、軸方向長さが前記孔部を形成する前記筐体のケース部材の厚さと前記嵌合凹部の深さとを加算した長さよりも短く形成されてもよい。また、前記カバー軸部が、前記カバー本体が前記嵌合凹部に嵌合した場合に、本体側部位の前記長手方向一端側が前記孔部を形成するケース部材に当接されてもよい。
【発明の効果】
【００１３】
この発明の携帯電子機器にあっては、筐体の開口部を閉塞可能に該筐体に取り付けられるカバー部材が、帯板状に形成されて開口部の周囲に形成された嵌合凹部に嵌合されるカバー本体と、カバー本体の長手方向一端側でカバー本体の厚さ方向に突設されたカバー軸部と、カバー軸部の先端部に形成された鍔部とを備え、筐体は、カバー軸部が挿通される孔部が形成され、カバー軸部は、カバー本体に接続される本体側部位と、鍔部に接続されて本体側部位に対して外周側に拡径された先端側部位とにより構成されることから、カバー軸部の軸方向の長さが低減されて、カバー部材のスライド移動に伴うスペースを低減することができる。従って、本発明の携帯電子機器によれば、筐体内部のスペースを有効活用することができ、筐体の小型化を図ることができる。
【発明を実施するための最良の形態】
【００１４】
以下、本発明の実施の形態を実施例によって、図面に基づき詳細に説明する。ここに、図１は、本発明の携帯電子機器の一実施例としての折り畳み式携帯電話機（以下、携帯電話機）１の外観を示す斜視図であり、図２は、その実施例の携帯電話機１のキー側筐体３の背面側からの外観を示す斜視図であり、図３及び図４は、その実施例の携帯電話機1のキー側筐体３の部分断面図であり、図５は、その実施例の携帯電話機１におけるコネクタカバー単体の外観を示す斜視図であり、図６は、その実施例の携帯電話機１におけるコネクタカバーの取り付け状態を示すためのキー側筐体３の部分断面図である。
【００１５】
この実施例の携帯電話機１は、第１筐体としての液晶側筐体２と、第２筐体としてのキー側筐体３とを備え、液晶側筐体２は、フロントケース２ａとリアケース２ｂとが相互に嵌合固定されて構成されて構成され、キー側筐体３は、キーフロントケース３ａとキーリアケース３ｂとが相互に嵌合されるとともにネジで固定されて構成されており、液晶側筐体２とキー側筐体３とは、連結部としてのヒンジ部４を介して相互に開閉自在とされている。
【００１６】
液晶側筐体２は、フロントケース２ａとリアケース２ｂとの内部に図示しない基板を内蔵するとともに、フロントケース２ａに形成された開口部からその表示面５ａが露出するように液晶表示ユニットが配置されている。また、その基板には、スピーカー等の各種電子部品が実装されている。
【００１７】
また、キー側筐体３は、キーフロントケース３ａとキーリアケース３ｂとの間の内部に基板６（図３参照）を内蔵し、その基板には、その表面を覆うシールドケース（図示省略）が取り付けられており、シールドケースの表面にはキースイッチが配置されたキー基板が配置され、その上面には複数のキートップが配置されたキーシート部材が配設されており、当該キーシート部材の各キートップが、キーフロントケース３ａに配設されるテンキー７としてキーフロントケース３ａに形成されたキー孔から表出している。また、基板６には、マイクなどの各種電子部品が実装されて電気的に接続されるとともに、図示しないバッテリが搭載され、キーリアケース３ｂには、そのバッテリの着脱用の開口部が形成されるとともに、その開口部を着脱可能に覆う蓋部材３ｄが設けられている。
【００１８】
キー側筐体３に内蔵されている基板６には、図示しないイヤホンケーブルのケーブル端子と接続可能なイヤホンコネクタ（コネクタ部材）８（図３参照）が実装されており、当該イヤホンコネクタ８は、基板６上の各種電子部品に電気接続されている。そして、キーリアケース３ｂには、イヤホンコネクタ８に対向した位置に、ケーブル端子がイヤホンコネクタ８に接続される際に挿通される開口部９が形成されるとともに、この開口部９を閉塞可能なコネクタカバー（カバー部材）１０が取り付けられている。
【００１９】
このコネクタカバーは、ＰＥＴ（ポリエチレンテレフタレート）やＰＰ（ポリプロピレン）などの樹脂部材で弾性可能に構成されており、図４及び図５に示されるように、略帯板状に形成されてキーリアケース３ｂの開口部の周囲に形成された嵌合凹部１１に嵌合可能なカバー本体部１０ａと、カバー本体部１０ａの長手方向一端側（図４における右側）からカバー本体部１０ａの厚さ方向（図４における上下方向）に突設されたカバー軸部１０ｂと、カバー軸部１０ｂの先端側（図４における下側）に形成された鍔部１０ｃとを有して構成される。
【００２０】
詳細には、図５に示されるように、カバー本体部１０ａは、その短手方向（キー側筐体３の厚さ方向に沿う方向）の端部に嵌合凹部１１に形成された係止部と係止される係止爪１０ｄと、カバー軸部１０ｂよりも長手方向他端側の位置でカバー軸部１０ｂが突設される側とは反対側で短手方向に延設された溝状の窪み部１０ｅとを有して構成されている。そして、カバー本体部１０ａの長手方向一端側から突設されるカバー軸部１０ｂは、本体側部位１０ｂ１と先端側部位１０ｂ２とによって構成されている。この本体側部位１０ｂ１は、略円柱状に形成されてカバー本体部１０ａに接続されて連設されている。
【００２１】
先端側部位１０ｂ２は、本体側部位１０ｂ１に連設されており、本体側部位１０ｂ１と略同一形状の円柱部１０ｂ２１と該円柱部１０ｂ２１の円周方向の一部において外周方向へ突出する突出部１０ｂ２２とを有して構成される。なお、この突出部１０ｂ２２は、円柱部１０ｂ２１に対してカバー本体部１０ａの長手方向一端側（図４における右側）に配置されている。鍔部１０ｃは、カバー軸部１０ｂの本体側部位１０ｂ１よりも拡径された円柱形状に形成されている。
【００２２】
また、カバー本体部１０ａのカバー軸部１０ｂが突設される長手方向一端部側は、カバー本体部１０ａの長手方向他端側よりも肉厚が薄く形成される薄肉部１０ｆによって形成され、当該薄肉部１０ｆは、窪み部１０ｅよりも他端側まで位置するように構成されている。
【００２３】
キーリアケース３ｂに形成される嵌合凹部１１は、コネクタカバー１０のカバー本体部１０ａが殆ど隙間なく嵌合するように略帯板状の空間部を形成するように構成され、カバー本体部１０ａの短手方向に形成された係止爪１０ｄを係止する図示しない係止部が形成されており、この係止爪１０ｄと係止部との係合によってコネクタカバー１０のカバー本体部１０ａが嵌合凹部１１に嵌合した際にキーリアケース３ｂにカバー本体部１０ａを保持するように構成されている。
【００２４】
また、コネクタカバー１０のカバー軸部１０ｂは、キーリアケース３ｂの嵌合凹部１１の底面部１１ａに形成された孔部１１ｂに挿通され、コネクタカバー１０は、カバー軸部１０ｂの軸方向長さだけ軸方向（図４における上下方向）にスライド可能にキーリアケース３ｂに取り付けられている。
【００２５】
また、嵌合凹部１１は、短手方向の一端がキーリアケース３ｂとキーフロントケース３ａとの合せ面とによって構成されており、キーリアケース３ｂの嵌合凹部１１の底面部１１ａに形成された孔部１１ｂキーフロントケース３ａ側の一端が開口する溝状に形成されており、キーフロンとケース３ａとの合せ面側からコネクタカバー１０のカバー軸部１０ｂを挿嵌させた状態でフロントケース３ａとリアケース３ｂとを互いに結合させることにより、コネクタカバー１０がキー側筐体３に取り付けられる。なお、キーリアケース３ｂに形成される孔部１１ｂの径（カバー本体部１０ａの長手方向長さ）は、カバー軸部１０ｂの先端側部位１０ｂ２の拡径部（円柱部１０ｂ２１と突出部１０ｂ２２とを含む）の長さと略同一となるように形成されている。
【００２６】
次に、コネクタカバー１０のキー側筐体３への取り付け及び取り外しについて説明する。
【００２７】
まず、先にも述べたように、キーフロントケース３ａが結合されていない状態で、キーリアケース３ｂにコネクタカバー１０を装着する。この際、リアケース３ｂに形成された嵌合凹部１１の底面部１１ａに形成された孔部１１ｂにコネクタカバー１０のカバー軸部１０ｂにおける本体側部位１０ｂ１を挿通させた後に、カバー本体部１０ａを嵌合凹部１１に嵌合させて、カバー本体部１０ａの短手方向に配置されている係止爪１０ｄをキーリアケース３ｂの嵌合凹部１１を形成するキーリアケース３ｂの壁面に形成された係止部に係止させることにより、カバー本体部１０ａが嵌合凹部１１に取り付けられる。
【００２８】
この状態で、キーフロントケース３ａをキーリアケース３ｂに結合する。この状態では、図４に示されるように、カバー本体部１０ａがキーリアケース３ｂの嵌合凹部１１に嵌合されると、カバー軸部１０ｂの本体側部位１０ｂ１におけるカバー本体部１０ａの長手方向の一端側（図４に示す右側）の端面が嵌合凹部１１の底面部１１ａに形成された孔部１１ｂを形成する孔壁面に当接される。
【００２９】
よって、この状態では、カバー本体部１０ａの他端側（図４に示す左側）の端部が嵌合凹部１１を形成するキーリアケース３ｂの壁面に当接するとともに、カバー軸部１０ｂにおける本体側部位１０ｂ１の一端側端部がキーリアケース３ｂにおける底面部１１ａの孔部１１ｂを形成する孔壁面に当接することとなり、カバー本体部１０ａの長手方向への移動が規制される。また、カバー本体部１０ａの短手方向端部に形成された係止爪１０ｄが嵌合凹部１１の壁面に配設された係止部と係止するとともに、カバー本体部１０ａの短手方向端面が嵌合凹部１１の壁面に当接することにより、カバー本体部１０ａの短手方向（キー側筐体３）への移動が規制される。さらには、この係止爪１０ｄと係止部との係止によってカバー本体部１０ａのキー側筐体３の外部方向（図４に示す上方向）への移動が規制される。
【００３０】
また、本実施形態においては、カバー軸部１０ｂの先端側部位１０ｂ２のカバー本体部長手方向の一端側に突出部１０ｂ２２が形成されており、この突出部１０ｂ２２が、カバー軸部１０ｂの本体側部位１０ｂ１の一端部が当接している底面部１１ｂの内面に当接しており、この突出部１０ｂ２２の底面部１１ｂとの当接によっても、カバー本体部１０ａのキー側筐体３の外部側への移動が規制されている。
【００３１】
このように、嵌合凹部１１にコネクタカバー１０のカバー本体部１０ａを嵌合させることにより、キー側筐体３に形成された開口部９がコネクタカバー１０のカバー本体部１０ａにより閉塞されることとなる。
【００３２】
キーフロントケース２ａは、図２に示されるように、コネクタカバー１０のカバー本体１０ａの他端側に対向する位置に窪み部３ａ１が形成されており、この窪み部３ａ１にユーザーが指などを引っ掛けることにより、嵌合凹部１１に嵌合しているコネクタカバー１０のカバー本体部１０ａを容易に取り外すことができる。このカバー本体部１０ａの嵌合凹部１１からの取り外しにより、コネクタカバー１０の全体が、図６（ａ）に示されるように、キー側筐体３の外部側の方向（図６（ａ）に示す矢印Ａの方向）に移動される。この際、カバー軸部１０ｂの先端側部位１０ｂ２に突出部１０ｂ２２が配設されているため、コネクタカバー１０は、カバー本体部１０ａの長手方向の他端側（図６（ａ）の左方向）に若干移動される。
【００３３】
そして、コネクタカバー１０の外部方向への移動及び長手方向他端側への移動に伴い、カバー軸部１０ｂの先端側部位１０ｂ２が嵌合凹部１１の底面部１１ａに形成された孔部１１ｂに挿嵌される。なお、孔部１１ｂの径（図６における左右方向長さ）を先端側部位１０ｂ２の幅（図６における円柱部１０ｂ２１と突出部１０ｂ２２とを含む左右方向長さ）よりも若干短くなるように形成した場合には、先端側部位１０ｂ２が孔部１１ｂに圧入されて、コネクタカバー１０が筐体外部側へ引き出された状態で保持されることとなる。このとき、カバー本体部１０ａの外面に短手方向に延設された窪み部１０ｅが形成されているため、カバー本体部１０ａの他端側が窪み部１０ｅを支点として屈曲するように弾性変形された状態でコネクタカバー１０を外部方向へ引き出すことが可能となっている。
【００３４】
この引き出された状態から、コネクタカバー１０がカバー軸部１０ｂを回転軸として図６（ｂ）に矢印Ｂで示す方向へ回転されると、開口部９を閉塞していたコネクタカバー１０がキー側筐体３の開口部９とは反対側の図６（ｂ）に示される位置に移動される。このとき、開口部９の筐体内部に配置されているイヤホンコネクタ８の接続部が露出されてした状態とされ、キー側筐体３の外部よりイヤホンケーブルのケーブル端子を開口部９を挿通させてイヤホンコネクタ８に接続させることが可能となり、イヤホンケーブルとキー側筐体３内の基板６とが電気的に接続される。
【００３５】
この状態では、コネクタカバー１０は、カバー本体部１０ａの裏面１０ｇがキーリアケース３ｂの外面に当接して保持されることにより、キー側筐体３の外部方向にスライドした状態が維持されている。なお、この状態においても、カバー本体部１０ａの外面に形成された窪み部１０ｅ支点としてカバー本体部１０ａを屈曲させることが可能であり、カバー本体部１０ａの裏面１０ｇがキーリアケース３ｂの外面よりも筐体内部側に位置していても、即ちカバー軸部１０ｂの軸方向長さ（図６のα参照）が孔部１１ｂの深さである底面部１１ａの厚さ（図６のβ参照）と嵌合凹部１１の深さ（図６のγ）とを加算した長さ（＝β＋γ）よりも短くなる（α＜β＋γ）ように構成されても、カバー本体部１０ａを開口部９とは反対側の位置に屈曲した状態で位置させることが可能となっている。なお、本実施形態では、本体側部位１０ｂ１は、その軸方向長さが孔部１１ｂの深さ（底面部１１ａの厚さβ）と略同一となるように構成されている
そして、カバー軸部１０ｂの先端側部位１０ｂ１は、嵌合凹部１１の底面部１１ａに形成された孔部１１ｂの孔壁面に当接した状態となっており、先端側部位１０ｂ２に突設されている突出部１０ｂ２２が孔壁面のうち開口部９が位置する側（図６（ｂ）における左側）の壁面に当接することにより、コネクタカバー１０は開口部９とは反対側に移動される。
【００３６】
また、本実施形態では、コネクタカバー１０のカバー本体部１０ａが、一端側における軸部周辺でカバー本体部１０ａの他端側よりも裏面１０ｇ側において薄肉構造とされる薄肉部１０ｆを有して構成されている。なお、嵌合凹部１１の底面部１１ａも薄肉部１０ｆに沿った形状で構成されており、カバー本体部１０ａが嵌合凹部１１に嵌合された状態において、当該薄肉部１１ｆが筐体内部側へ変位することが抑制されている。
【００３７】
このように、カバー本体部１０ａにおける軸部周辺を他の部位に対して薄肉構造とすることにより、コネクタカバー１０を長手方向に弾性変形によって撓ませることが容易となり、図６（ｂ）に示されるように、キー側筐体３のケース部材（キーリアケース３ｂ）への乗り上げを容易に行うことできる。このように、自身の変形によってコネクタカバー１０のケース部材への乗り上げが容易となるため、コネクタカバー１０のスライド量を最小限に抑えることができ、カバー軸部１０ｂの軸方向長さを低減して、コネクタカバー１０の筐体内部側への突出を抑制して筐体内部のスペースを有効に利用することができる。なお、コネクタカバー１０は、カバー本体部１０ａの表面に形成された窪み部１０ｅによっても当該変形が容易に行えるように構成されている。
【００３８】
以上の構成により、本実施形態における携帯電話機は、キー側筐体３に形成された開口部９を閉塞可能に筐体に取り付けられるコネクタカバー１０が、帯板状に形成されて開口部９の周囲に形成された嵌合凹部１１に嵌合されるカバー本体部１０ａと、カバー本体部１０ａの長手方向一端側でカバー本体部１１ａの厚さ方向に突設されたカバー軸部１０ｂと、カバー軸部１０ｂの先端部に形成された鍔部１０ｃとを備えて構成され、キー側筐体３の嵌合凹部１１における底面部１１ａに形成された孔部１１ｂに挿通されるカバー軸部１０ｂが、カバー本体部１０ａに接続される本体側部位１０ｂ１と、鍔部１０ｃに接続されて本体側部位１０ｂ１に対して外周側に拡径された先端側部位１０ｂ２とにより構成されることにより、カバー軸部１０ｂを軸方向で短く構成して、カバー本体部１０ａを嵌合凹部１１に嵌合させたときの筐体内部側へのコネクタカバー１０の突出を軽減することができ、キー側筐体３での内部スペースを有効に利用することができ、キー側筐体３をコンパクトに構成することが可能となる。
【００３９】
また、カバー軸部１０ｂの先端側部位１０ｂ２が、本体側部位１０ｂ１に対して一外周方向のみで、具体的にはカバー本体部１０ａの長手方向一端側で拡径されて形成されることにより、孔部１１ｂをコンパクトに形成でき、キー側筐体３をコンパクトに構成できる。
【００４０】
また、カバー本体部１０ａが、カバー軸部１０ｂよりも長手方向他端側の位置に薄肉部１１ｆを設けたことにより、カバー本体部１０ａを容易に撓ませる（弾性変形させる）ことが可能となって、コネクタカバー１０の筐体外部へのスライド量を抑制させることができ、カバー軸部１０ｂの軸方向長さをより低減でき、筐体構成のコンパクト化を好適に行うことができる。
【００４１】
また、カバー軸部１０ｂを、軸方向長さが孔部１１ｂを形成するキー側筐体３のキーリアケース３ｂにおける底面部１１ａの厚さβと嵌合凹部１１の深さγとを加算した長さよりも短く構成することにより、カバー軸部１０ｂを軸方向でより短く構成することができ、キー側筐体３をよりコンパクトに構成することが可能となる。
【００４２】
さらには、カバー軸部１０ｂを、カバー本体部１０ａが嵌合凹部１１に嵌合したときに、本体側部位１０ｂ１の長手方向一端側が孔部１１ｂを形成するキーリアケース３ｂの孔壁面に当接させることにより、カバー本体部１０ａを嵌合凹部１１に嵌合させたときに、カバー本体部１０ａの筐体側への保持をより確実に行うことができる。
【００４３】
以上、図示例に基づき説明したが、この発明は上述の例に限定されるものではなく、特許請求の範囲の記載範囲内で適宜変更し得るものであり、例えばこの発明は、折り畳み式だけでなく水平回転式や二軸ヒンジ式など他の携帯電話機にも適用でき、さらには携帯電話以外の情報端末装置などの携帯電子機器にも適用できる。また、コネクタカバーは、イヤホン接続用の接続コネクタ以外の外部コネクタ（例えば、充電コネクタやカードコネクタなど）でも良い。
【図面の簡単な説明】
【００４４】
【図１】本発明の携帯電子機器の一実施例としての折り畳み式携帯電話機１の外観を示す斜視図である。
【図２】図１の携帯電話機１のキー側筐体３の背面側からの外観を示す斜視図である。
【図３】図１の携帯電話機１のキー側筐体３の部分断面図である。
【図４】図１の携帯電話機１のキー側筐体３の部分断面図である。
【図５】図１の携帯電話機１におけるコネクタカバー単体の外観を示す斜視図である。
【図６】図１の携帯電話機１におけるコネクタカバーの取り付け状態を示すためのキー側筐体３の部分断面図である。
【図７】従来の携帯電話機１における筐体の部分断面図である。
【符号の説明】
【００４５】
１  携帯電話機（携帯電子機器）
２  液晶側筐体
３  キー側筐体（筐体）
３ａ  キーフロントケース
３ｂ  キーリアケース（ケース部材）
４  ヒンジ部
６  基板
７  テンキー
８  イヤホンコネクタ（コネクタ部材）
９  開口部
１０  コネクタカバー（カバー部材）
１０ａ  カバー本体部（カバー本体）
１０ｂ  カバー軸部
１０ｂ１  本体側部位
１０ｂ２  先端側部位
１０ｂ２１  円柱部
１０ｂ２２  突出部
１０ｃ  鍔部
１０ｄ  係止爪部
１０ｅ  窪み部
１０ｆ  薄肉部
１１  嵌合凹部
１１ａ  底面部
１１ｂ  孔部
【図１】
2007318682.tif 000003
【図２】
2007318682.tif 000004
【図３】
2007318682.tif 000005
【図４】
2007318682.tif 000006
【図５】
2007318682.tif 000007
【図６】
2007318682.tif 000008
【図７】
2007318682.tif 000009